(57)【要約】【課題】  従来ではドレープの受液ポケット開口縁に沿ってAlリボン等を配置し、ポケットの開口状態を保つことが提案されている。しかしAlリボンを多く使用することから高コストとなる。そこで本発明では低コストでポケットの開口状態を保ち得るドレープを提供することを目的とする。【解決手段】  ドレープ６０は、本体シート１１の表側面に受液ポケット７４を両面テープ７７によって貼りつけたものである。受液ポケット７４を構成するポケット外側シート７５に塑性変形可能な帯状の保形部材１６が設けられている。保形部材１６の長手方向（Ｂ）が、受液ポケット７４の開口線７４ａに対してほぼ直角に配置されている。【選択図】      図９ 
2005060907.tif 000002
【特許請求の範囲】
【請求項１】
本体シートの表側面に受液ポケットを備え、該受液ポケットを構成するシートに塑性変形可能な線・棒または帯状の保形部材が設けられたドレープであって、
前記保形部材は、前記受液ポケットの開口線に対して４５〜１３５°の角度となる様に、その線・棒または帯の長手方向が配置されたものであることを特徴とするドレープ。
【請求項２】
ドレープの表側面に取り付けて用いる受液ポケットであり、
該受液ポケットを構成するシートに塑性変形可能な線・棒または帯状の保形部材が設けられたものであって、
前記保形部材は、前記受液ポケットの開口線に対して４５〜１３５°の角度となる様に、その線・棒または帯の長手方向が配置されたものであることを特徴とするドレープ用受液ポケット。
【請求項３】
前記保形部材の長手方向が、前記受液ポケットの開口線に対してほぼ直角に配されたものである請求項１または２に記載のドレープまたはドレープ用受液ポケット。
【請求項４】
前記保形部材は、前記受液ポケットの開口幅方向両端部から該開口幅の１／３の長さ位置より中央側に設けられている請求項１〜３のいずれかに記載のドレープまたはドレープ用受液ポケット。
【請求項５】
前記保形部材の上端は、前記受液ポケットの開口線から前記受液ポケットの開口幅の１／１０の長さ分深い位置に至る範囲内に設定されたものである請求項１〜４のいずれかに記載のドレープまたはドレープ用受液ポケット。
【請求項６】
前記保形部材の長さは、前記受液ポケットの開口幅の１／１０〜１／２である請求項１〜５のいずれかに記載のドレープまたはドレープ用受液ポケット。
【請求項７】
前記受液ポケットを構成するシートが、厚み０．０５〜０．１５mmのオレフィン樹脂製フィルムである請求項１〜６のいずれかに記載のドレープまたはドレープ用受液ポケット。
【発明の詳細な説明】
【技術分野】
【０００１】
本発明は、外科手術の際に用いられる受液ポケット付き医療用ドレープや、飲食の際に用いられるポケット付き乳幼児用ドレープ（所謂ポケット付きよだれかけ）等のドレープ、また医療用ドレープ等に取り付けるドレープ用受液ポケットに関するものである。
【背景技術】
【０００２】
例えば外科手術に際しては、手術野を無菌状態に保つ目的で手術野以外の身体表面をドレープで覆うことが一般に行われている。このドレープにはしばしば受液ポケット付きのものが用いられ、この受液ポケットに流れ出た体液や洗浄液を捕集する様になっている（例えば、特許文献１参照）。
【０００３】
受液ポケットとしては、(1)矩形シートの両側辺及び下辺をドレープ本体に貼着し、上辺を開口部としたもの（貼りポケットタイプ）や、(2)別体の袋状物（ポケット袋）をドレープ本体に取り付ける様にしたもの（別付けタイプ）、(3)ドレープの裾部分を折返し、両側を貼着してポケット部を形成したもの（折返しタイプ）等がある。また受液ポケットの素材には不透液性のシートが通常用いられる。
【０００４】
ところで受液ポケットのシートはドレープ本体シートと重なる様にして存在する為に、このままではポケット開口部が閉じた状態となることから、ポケット開口縁に沿ってアルミニウム製リボン等の塑性変形可能な帯状部材を設け、該帯状部材を適宜湾曲させてポケット開口部を開ける様にすることが提案されている（例えば、特許文献２，３参照）（従来例[1]）。
【特許文献１】実開昭６０−１７７８１６号公報
【特許文献２】実公平３−１３２９５号公報
【特許文献３】特許３２２２１５２号公報（特に請求項１，４、段落〔００１０〕，〔００１４〕，〔００１５〕、図１〜５，７〜９）
【発明の開示】
【発明が解決しようとする課題】
【０００５】
しかしながら上記従来例[1]（特許文献２，３記載のもの）は、塑性変形可能な帯状部材をポケット開口縁全域にわたって設けており、該帯状部材が比較的高価であることから、材料コストが高くつく問題がある。
【０００６】
そこで短い帯状部材を用い、ポケット開口縁の例えば中央部分のみに取り付けるということが考えられる（図１２：短い帯状部材を用いた受液ポケット付きドレープを表す斜視図で、（ａ）はポケットが閉じた状態、（ｂ）はポケットが開いた状態である）（従来例[2]）。しかしこの場合は、以下に述べる様にポケットの口を十分に開口し難いという問題がある。
【０００７】
まず図１２に示す受液ポケット付きドレープの構成を説明すると、ドレープ本体シート６１の表側面にポケット用シート６３が取り付けられて受液ポケット６６が形成され（貼りポケットタイプ）、このポケット用シート６３の開口縁６４の中央部分に短い帯状部材６５が取り付けられている。尚手術野に対応した位置に開孔６２が設けられている。
【０００８】
図１２の（ｂ）に示す様に、使用にあたっては短い帯状部材６５の中央を患者から離れる方向［以下、患者から離れる方向を外側、患者に向かう方向を内側と称することがある］に湾曲させて開口を保持することになるが、帯状部材６５の中央部分では開口を確保できるものの、帯状部材６５の両端では湾曲開口状態を支持する為に却って本体シート６１側に押し付ける様になっており、結果として開口範囲は帯状部材６５の長さ分だけとなってしまう。尤も帯状部材６５自身の重みによって本体シート６１から離れる方向に力がかかるので、これによってポケットが広く開口されることも期待できるが、血液等が本体シート６１表面を伝って受液ポケット６６に流れ込むと、この本体シート６１表面に付着した血液等がポケット用シート６３を貼りつける様に作用し、帯状部材６５より両側を閉じてしまう。その結果、閉じたポケット開口部に達した洗浄液等は外側に漏れ出てしまうことになる。なお帯状部材６５を重くして開口を確実にすることも考えられるが、重すぎると、医療用ドレープ全体を患者の至適位置に保持し難く、使用しづらくなる結果を招く。
【０００９】
この様に短い帯状部材６５を設けた受液ポケット付きドレープにあっては広い開口を確保することが困難な場合がある。
【００１０】
そこで本発明は以上の様な問題に鑑みてなされたものであって、低いコストで受液ポケットの広い開口を確保することができるドレープを提供することを目的とする。
【課題を解決するための手段】
【００１１】
本発明に係るドレープは、本体シートの表側面に受液ポケットを備え、該受液ポケットを構成するシートに塑性変形可能な線・棒または帯状の保形部材が設けられたドレープであって、前記保形部材が、前記受液ポケットの開口線に対して４５〜１３５°の角度となる様に、その線・棒または帯の長手方向が配置されたものであることを特徴とする。
【００１２】
また本発明に係るドレープ用受液ポケットは、ドレープの表側面に取り付けて用いる受液ポケットであり、該受液ポケットを構成するシートに塑性変形可能な線・棒または帯状の保形部材が設けられたものであって、前記保形部材が、前記受液ポケットの開口線に対して４５〜１３５°の角度となる様に、その線・棒または帯の長手方向が配置されたものであることを特徴とする。
【００１３】
尚本出願において「シート」と称する場合にはフィルムを含み、「フィルム」と称する場合にはシートを含むものであって、これらに格段の区別はない。また前記「受液ポケットを構成するシート」とは、例えば上記貼りポケットタイプの場合では貼着シート及びこのシートに対面する本体シート部分を指し、上記折返しタイプの受液ポケットの場合では折返し部分のシート及びこの折返し部分に対面する本体シート部分を指し、上記別付けタイプの場合では袋状を形作る外側シート及び内側シートを指す。尚以下、受液ポケットの外側を構成するシート（貼着シート，折返し部分のシート，外側シート等）を「ポケット外側シート」と称し、受液ポケットの内側を構成するシート（貼着したシートや折返し部分のシートに対面する本体シート部分，内側シート等）を「ポケット身体側シート」と称することがある。また本発明の「ドレープ用受液ポケット」とは、上記別付けタイプの場合におけるポケット袋（ドレープ本体とは別体の袋状物）を指すだけでなく、受液ポケット付きドレープにおける部品としての受液ポケットも指す。
【００１４】
上述の通り本発明は、保形部材の長手方向（長手軸）を受液ポケットの横方向の開口線に対してほぼ縦方向（ポケット開口線の垂線の±４５°）に配置したものであり、使用にあたっては、該保形部材を曲げて、受液ポケットの口部分を開ける様にする。具体的に説明すると、例えば上記別付けタイプで上記外側シートに保形部材を配置したものの場合において、この保形部材が縦に配置されているから、保形部材の上方を外側に曲げると、該曲げた箇所が支えとなって上記外側シートの開口縁部分を内側シートから離す様になる。この様にして外側シート開口縁部分の一部が離れれば、その両側も離れて、外側シートと内側シートで形作られるポケット口全体が開くことになる。上記貼りポケットタイプや折返しタイプも同様であり、縦に配置した保形部材の上方を外側に曲げると、該曲げた箇所が支えとなって上記貼着シートや上記折返し部分シートの開口縁部分を本体シートから離す様になり、この離れた箇所を中心としてその両側も離れ、ポケット口全体が開くことになる。このとき上記従来例[2]（短い帯状部材をポケット開口縁に沿って取り付けたもの）と異なって、保形部材における上記曲がって支えている箇所はポケットの深さ方向に入った部分であるから、当該支え箇所がポケット身体側シート（内側シート，本体シート）と接していてもポケット口全体を開けておくことに影響しない。またポケット外側シート（外側シート，貼着シート，折返し部分シート）のポケット口付近のみがポケット身体側シートから離れてさえいれば、たとえ深い部分でポケット外側シートとポケット内側シートが接していても、ポケット口部分に入った洗浄液等は自重によってポケットの奥側へと入り込むことになるから、ポケット外側に出ることがない。この様にして本発明ではポケット開口状態を保持するから、保形部材としても短いもので済み、低コストとなる。
【００１５】
前記保形部材の長さとしては、前記受液ポケットの開口幅の１／１０〜１／２であることが好ましく、長すぎるとコスト低減の効果に乏しく、一方短すぎるとポケット口を開け難くなるからである。殊にポケット開口幅が広く、深さの浅い受液ポケットの場合は保形部材の長さを短く（例えば開口幅の１／１０の長さ）するのが望ましい。
【００１６】
本発明において上記保形部材は、上記ポケット外側シート或いはポケット身体側シートのいずれに配置しても良く、または両方に配置しても良い。
【００１７】
尚保形部材１６をポケット身体側シート８５（本体シート１１）のみに配置した場合において、図１６［図１５に示すドレープの受液ポケット部分を斜めに位置させたときを説明する為の縦断面図］に示す様に受液ポケット１４が斜めに位置したとき、ポケット外側シート１５のポケット口付近のシート部分１５ｕ（図１６に点線の○で囲んだ部分）が自重により垂れ下がり、ポケット口を塞ぐ懸念がある。尤もポケット外側シート１５が比較的コシのある素材により構成されていれば、自重により垂れ下がる虞は少ない。一方、保形部材をポケット外側シートに配置した場合は、たとえ受液ポケット１４が斜めに位置しても、ポケット外側シートのポケット口付近のシート部分は、保形部材によって立ち上がる様に支持されるので、ポケット口を塞ぐ虞がない。従って保形部材は、ポケット外側シートに配置するか、或いはポケット外側シートとポケット身体側シートの両方に配置するのがより好ましい。
【００１８】
また本発明においては、前記保形部材の長手方向が前記受液ポケットの開口線に対してほぼ直角に配されたものであることがより好ましい。前述の如く保形部材を曲げることによって受液ポケットの開口が保持されるが、この開口の支点となる箇所（支える箇所）はポケットの奥深い位置であることがより好ましく、上記の様に開口線に対して垂直に配置すれば、同じ長さの保形部材を用いた場合の比較において、上記支点となる箇所を最も奥深い位置にすることができるからである。
【００１９】
尚受液ポケット開口線と保形部材の長手方向線とのなす角度に関し、例えば受液ポケット開口縁が曲線の場合には、図１４［保形部材９６の長手方向と受液ポケット９４の開口線とのなす角度を説明する為の図］に示す様に、保形部材９６の長手方向線（或いはこの延長線）Ｌに開口縁９４ａが交叉した箇所における開口縁９４ａの接線Ｍと、保形部材長手方向線Ｌとのなす角度を言う。
【００２０】
また前記保形部材の配置位置としては、前記受液ポケットの開口幅方向両端部から該開口幅の１／３の長さ位置より中央側であることが好ましい。即ち受液ポケットの開口幅方向両端部から該開口幅の１／３の長さ部分を除いた中央部分に保形部材が設けられていることが好ましく、この様に中央部分であれば、保形部材を曲げることによるポケット口部分のポケット外側シートとポケット身体側シートを離す作用が有効に発揮されるからである。またこの様な中央部分であれば、その範囲内（中央部分における開口幅の１／３の長さの範囲内）のいずれの箇所に保形部材を配置しても、ポケット開口状態を保持する効果に遜色がない。
【００２１】
更に前記保形部材の上端が、前記受液ポケットの開口線から前記受液ポケットの開口幅の１／１０の長さ分深い位置に至る範囲内に設定されたものであることが好ましい。即ち前記保形部材の上端が、前記受液ポケットの開口線上ないし該開口線から深さ方向に向かった箇所に位置するものであって、その深さ位置が、前記受液ポケットの開口幅の１／１０の長さの範囲内であることが好ましい。
【００２２】
本発明において保形部材はその上端が受液ポケットの開口線に到達している場合に限らず、ポケットの深さ方向にやや入った位置であっても良く、上記の如く開口線から開口幅の１／１０の長さ分深い位置までの範囲であれば、十分にシートのポケット開口縁部分を開けることができる。尚保形部材をポケット身体側シートに設けたものにおいて、受液ポケット開口線よりも上がった位置に保形部材上端が位置する場合も考えられるが、本発明はこの場合を排除するものではない。
【００２３】
加えて本発明における受液ポケットを構成するシートとしては、ポリエチレンやポリプロピレン等のオレフィン樹脂製フィルム、或いはこれらの積層フィルム等が挙げられ、殊に、厚み０．０５〜０．１５mmのオレフィン樹脂製フィルムであることが好ましい。上記シートとして極端に薄いと柔軟性があり過ぎることになり、保形部材の曲げによるポケット開口状態を保持し難くなる懸念があるが、上記の如くのフィルムであれば、或る程度しっかりしたものであるからポケット開口状態をしっかりと保持できるからである。
【発明の効果】
【００２４】
本発明に係るドレープ及びドレープ用受液ポケットによれば、比較的短い保形部材を用いて低コストを図りながらも、受液ポケットの口のほぼ全体（或いは全て）を開けた状態に保持できるので、洗浄液等を外部に漏らさずポケット内に誘導できる。
【発明を実施するための最良の形態】
【００２５】
＜実施形態１＞
図１は本発明の実施形態１に係るドレープを示す正面図であり、図２は該ドレープの使用状態を表す正面からの図で、図３，４は図２に示すＡ−Ａ線断面図である。
【００２６】
このドレープ１０は折返しタイプであって、長方形の本体シート１１の裾側延長部分が表側に折り返され、その両側が熱融着によって接着されて（側縁接着部１２，１３）、受液ポケット１４を形成している。尚折返し部分のシートがポケット外側シート１５となり、この外側シート１５に対面する本体シート１１部分がポケット身体側シート１１ａとなる。また側縁接着部１２，１３は高周波融着や接着剤による接着により接合させても良い。
【００２７】
ポケット外側シート１５の表側面（ポケット外側面）には短い帯状（短冊状）の保形部材１６が設けられている。該保形部材１６はその長手方向（矢印Ｂ）がポケット外側シート１５の開口縁１５ａ（ポケット１４の開口線１４ａ）に対して垂直に配置され、幅方向としては丁度中央に位置し（左側接着部１２から保形部材１６までの距離Ｗ2＝右側接着部１３から保形部材１６までの距離Ｗ3）、保形部材１６の上端１６ａからポケット開口縁１５ａまでの距離Ｗ1は、ポケット１４の開口幅Ｗ0の１／１０以下（例えば１／１１）である。
【００２８】
保形部材１６はアルミニウム製ワイヤを柔軟な合成樹脂で被覆したものであって、塑性変形可能であり、変形させるとその状態を保持し得る。また保形部材１６の長さはポケット１４の開口幅Ｗ0の１／１０〜１／２（例えば２／１１）であり、ポケット開口幅よりも十分に短く、保形部材の使用量が短くて済む。
【００２９】
尚これらの各種のサイズについて具体的な一例を示すと、ポケット１４の開口幅Ｗ0：４４cm、上端１６ａの下がり距離Ｗ1：４cm、保形部材１６の長さ：８cmが挙げられる。
【００３０】
上記本体シート１１並びにポケット外側シート１５は、厚さ０．１mmのポリエチレンフィルムである。
【００３１】
またこの実施形態１のドレープは例えば眼科手術の際に用いられる医療用ドレープであって、ドレープの中央には手術野に対応した開孔６２が形成されており、本体シート１１の裏面側における開孔６２の周縁部に粘着剤層１７が設けられ、更にこの粘着剤層１７の上に離型フィルム１８が貼付されている。
【００３２】
次に使用態様について説明する。
【００３３】
使用にあたっては、まず離型フィルム１８を剥がし、患者の手術野に開孔６２を合わせて粘着剤層１７によって患者に貼りつける様にする。尚眼科手術において洗浄液等が流れていく方向は専らこめかみ側であるから、受液ポケット１４がこめかみ側に位置する様にして貼りつける。次いで保形部材１６の上端１６ａ側を外側に折り曲げる（保形部材１６を外側に向けて「く」の字に折り曲げる）と、ポケット外側シート１５の開口縁１５ａ部分はその全幅にわたって本体シート１１（ポケット身体側シート１１ａ）から離れる様になる（図２〜４）。このとき図４に示す様に保形部材１６全体がポケット身体側シート１１ａから離れる場合もあるが、たとえ図３に示す様に保形部材１６がポケット身体側シート１１ａに当接する場合であっても、その当接箇所は保形部材１６の曲がり部分１６ｂ（正確には、保形部材１６の曲がり部分１６ｂに対応するポケット外側シート１５の曲がり部分の裏側面１５ｂ）であり、この曲がり部分１６ｂが支える様にして保形部材上端１６ａを外側に向かわせ、開口縁１５ａ部分を開けた状態に保持する。
【００３４】
そして手術野開孔６２から本体シート１１表面を伝ってポケット１４に向う洗浄液等は、開口縁１５ａ部分が開いているからポケット１４内に入ることができ、続いてポケット１４の奥に進む。このとき保形部材１６の曲がり部分１６ｂ（外側シート曲がり部分の裏側面１５ｂ）がポケット身体側シート１１ａに当接していても、ポケット１４の口（開口縁１５ａ部分）に入った洗浄液等は自重により保形部材１６の両側に分かれて奥側に流れ入ることになる。或いは洗浄液等の自重によって曲がり部分１６ｂ（裏側面１５ｂ）とポケット身体側シート１１ａの当接を押し広げる様にしてポケット奥側に入る。この様にポケット１４の口さえ開いていれば、洗浄液等はポケットの外側に漏れ出ることなく、ポケット１４内に収容される。
【００３５】
しかも使用する保形部材１６は十分に短いので、材料コストを低く抑えることができる。また保形部材１６の取り付け方法としても、ポケット外側シート１５に接着するだけで済むから簡単であり、製造コストも嵩まない。
【００３６】
＜実施形態２〜５＞
図５〜８の（ａ）はそれぞれ本発明の実施形態２〜５に係るドレープ２０，３０，４０，５０を示す正面図であり、図５〜８の（ｂ）はそれぞれ使用状態を表す正面からの図である。尚図１〜４と同じ構成部分については同一の符号を付して重複説明を避ける。
【００３７】
上記実施形態１では真っ直ぐの短い帯状の保形部材１６を用いたものであったが、図５に示す実施形態２のドレープ２０では、上方部分が２つに分かれたＹ字状の保形部材２６を用いたものである。尚保形部材の長手方向はその全体形状から長手軸となる部分を言い、Ｙ字状の保形部材２６にあってはその下方部分の１本となった部分における方向（矢印Ｃ）となる。従ってこの実施形態２では保形部材２６はポケット開口線１４ａに対して垂直に配置されている。
【００３８】
また図６に示す実施形態３のドレープ３０は、短い帯状の保形部材を２本（保形部材３６，３７）用い、これらがクロスする様に配置したものである。図７に示す実施形態４のドレープ４０は、同じく短い帯状の保形部材を２本（保形部材４６，４７）用いたものであって、これらをＶ字状に配置したものである。これら保形部材３６，３７，４６，４７はその長手方向（矢印Ｄ，Ｅ，Ｆ，Ｇ）がポケット開口線１４ａに対して６０°（或いは鈍角をはかった場合には１２０°）となって配置されている。
【００３９】
図８に示す実施形態５のドレープ５０は、短い帯状の保形部材を２本（保形部材５６，５７）用い、これらの長手方向（矢印Ｈ，Ｉ）をポケット開口線１４ａに対してそれぞれ垂直にして平行に配置してものである。これら保形部材５６，５７の幅方向の位置としては中央寄りであり、左側接着部１２から保形部材５６までの距離Ｗ2、右側接着部１３から保形部材５７までの距離Ｗ3はいずれもポケット１４の開口幅Ｗ0の１／３よりも長い。
【００４０】
これら実施形態２〜５のドレープは、いずれも保形部材の上端が幅方向に離れた２箇所に存在するから、開口部分を非常に幅広く開けることができ、殊にポケット１４の開口幅が広い場合に有効である。またポケット内への液体採集量が多くなるとポケット下側部分が膨らみ、これとの反作用でポケット上側部分、即ちポケットの口が狭くなることがあるが、上記の如く保形部材を離れた２箇所に設ければ、ポケット口を開けた状態にしっかりと保つことが可能となる。しかも使用する保形部材は合計しても短く、コストが嵩まない。
【００４１】
＜実施形態６＞
図１０は本発明の実施形態６に係る受液ポケット及びドレープを示す正面図である。図９はこの受液ポケット及びドレープの使用状態を示す図であり、（ａ）は正面からの図で、（ｂ）は（ａ）に示すＪ−Ｊ線断面図である。尚図１〜４と同じ構成部分については同一の符号を付して重複説明を避ける。
【００４２】
この実施形態６のドレープ６０は上記別付けタイプであり、袋状の受液ポケット７４を本体シート７１の表面側に両面テープ７７によって貼りつけたものである。受液ポケット７４は、ポリエチレン製フィルムを２つ折りにして両側辺を熱融着により接合した（側縁接着部７２，７３）矩形のものであり、患者側に来るフィルム部分をポケット身体側シート７８、外側に来るフィルム部分をポケット外側シート７５とし、上辺部分を開口部７４ｂとしたものである。ポケット外側シート７５には上記実施形態１と同様に保形部材１６が取り付けられている。この保形部材１６の長手方向（Ｂ）は、受液ポケット７４の開口線７４ａに対してほぼ直角に配置されている。尚上記両面テープ７７はポケット身体側シート７８の開口部分における患者側面に設けられている。
【００４３】
本実施形態６においては、本体シート７１を患者に被せた後、施術者が受液ポケット７４を本体シート７１の所望の箇所に貼着することができる。尚上記両面テープ７７を設ける範囲としては、図９，１０に示す様にポケット身体側シート７８のポケット開口幅全体にとするのが好ましく、この様に貼着することで、ポケット口部分において本体シート７１との間に隙間を形成せず、洗浄液等をポケット７４に受け止めることができる。尤もポケット７４の受液量が多くなり過ぎ、手術（或いは治療）中に両面テープ７７が剥がれる懸念がある場合には、両面テープ７７の範囲を大きくして、強固に貼り付けることが望ましい。更にポケット身体側シート７８の患者側面を全面貼り付けしても構わない。
【００４４】
またポケット開口部分でポケット身体側シート７８から本体シート７１にわたる様に押さえテープ９１（図９に仮想線で示す）を貼り付けても良い。該押さえテープ９１によって、仮に両面テープ７７に貼り付けムラ等が生じても、このムラに基づく隙間を塞ぐことができる。押さえテープ９１としては、撥水性もしくは疎水性の不織布或いはフィルム製のものが好ましい。
【００４５】
この実施形態６においても保形部材１６の上方を外側に折り曲げることによって、ポケット７４の開口部７４ｂを開けた状態に保つことができ、しかも安価である。
【００４６】
＜実施形態７〜１０＞
図１８〜２１の（ａ）はそれぞれ本発明の実施形態７〜１０に係る受液ポケット１２０，１３０，１４０，１５０を示す正面図であり、図１８〜２１の（ｂ）はそれぞれ使用状態を表す正面からの図である（但しドレープ本体シートを省略して図示している）。尚図１〜１０と同じ構成部分については同一の符号を付して重複説明を避ける。
【００４７】
これら実施形態７〜１１の受液ポケット１２０，１３０，１４０，１５０は、上記実施形態６の場合の様に、本体シート７１の表面側に両面テープ７７によって貼りつけて用いるタイプ（別付けタイプ）の受液ポケットである。
【００４８】
図１８に示す実施形態７の受液ポケット１２０は、上方部分が２つに分かれたＹ字状の保形部材２６を用いたものである。図１９に示す実施形態８の受液ポケット１３０は、短い帯状の保形部材を２本（保形部材３６，３７）用い、これらがクロスする様に配置したものである。図２０に示す実施形態９の受液ポケット１４０は、同じく短い帯状の保形部材を２本（保形部材４６，４７）用いたものであって、これらをＶ字状に配置したものである。図２１に示す実施形態１０の受液ポケット１５０は、短い帯状の保形部材を２本（保形部材５６，５７）用い、これらの長手方向（矢印Ｈ，Ｉ）をポケット開口線１４ａに対してそれぞれ垂直にして平行に配置してものである。
【００４９】
上記実施形態２〜５のドレープの場合と同様に、これら実施形態７〜１０の受液ポケットはいずれも保形部材の上端が幅方向に離れた２箇所に存在するから、開口部分を非常に幅広く開けることができ、殊にポケット１４の開口幅が広い場合に有効であり、またポケット口を開けた状態にしっかりと保つことができる。しかも使用する保形部材は合計しても短く、コストが嵩まない。
【００５０】
＜実施形態１１＞
図１７は本発明の実施形態１１に係るドレープの使用状態を示す正面からの図である。尚図１〜４，９と同じ構成部分については同一の符号を付して重複説明を避ける。
【００５１】
実施形態１１のドレープ７０も別付けタイプであり、袋状の受液ポケット７９の開口線７９ａはコ字状を画いており、このコ字状の底にあたる箇所のポケット深さが深く（深底部７９ｃ）、両側にあたる箇所のポケット深さが浅くなっている（浅底部７９ｄ）。本体シート７１に受液ポケット７９を取り付けるにあたり、洗浄液等が多く流れ出る方向をポケット７９の深底部７９ｃに合わせて取り付ける様にすると良い。
【００５２】
保形部材１６はコ字状開口線７９ａの底にあたる開口線７９ａ1から少しポケット深さ方向に下りた部分に取り付けられている。保形部材１６の長手方向（矢印Ｋ）はその真上の開口線７９ａ1に対して垂直となっている。
【００５３】
本実施形態１１においても保形部材１６の上方を外側に曲げることにより、受液ポケット７９を開口した状態に保持することができる。また実施形態１１では受液ポケット７９の開口線７９ａが手術野開孔６２をコ字状に取り囲む様に配置されているから、洗浄液等が図１７における下方に流れた場合だけでなく、図１７における左右の方向に流れても受液ポケット７９に捕らえることができる。
【００５４】
なお図示例では保形部材１６を１つ用いたが、コ字状開口線７９ａの両側にあたる開口線７９ａ2の部分にも保形部材を設けても良い。
【００５５】
＜実施形態１２＞
図１１は本発明の実施形態１２に係る受液ポケットの使用状態を示す正面からの図である。尚図１〜４と同じ構成部分については同一の符号を付して重複説明を避ける。
【００５６】
実施形態１２の受液ポケット８０は上記実施形態１のドレープ１０を小型にしたものに相当し、実施形態１のドレープ１０における粘着剤層１７及び離型フィルム１８に代えて両面テープ８７を設けたものである。
【００５７】
この受液ポケット８０は、受液ポケットを有さない医療用ドレープ８１に適宜取り付けて使用することができる。取り付けにあたっては、医療用ドレープ８１の手術野開孔８２に小型ドレープ８０の開孔６２を合わせ、本体シート１１の患者側面の両面テープ８７によって貼りつける。尚医療用ドレープ８１の手術野開孔８２の周囲における肌側面に両面テープが設けられており、この両面テープによって患者へ貼り付ける様にする。
【００５８】
そして実施形態１と同様に、保形部材１６の上方を外側に曲げて、ポケット部８４の開口を保持して使用する。
【００５９】
以上の様に本発明に係るドレープに関して、例を示す図面を参照しつつ具体的に説明したが、本発明はもとより図示例に限定される訳ではなく、前記の趣旨に適合し得る範囲で適当に変更を加えて実施することも可能であり、それらはいずれも本発明の技術的範囲に包含される。
【００６０】
例えば上記実施形態では保形部材として、アルミニウム製ワイヤを柔軟な合成樹脂で被覆したものを挙げたが、これに限るものではなく、他の塑性変形可能な金属ワイヤを合成樹脂で被覆したもの、或いはアルミニウムその他の塑性変形可能な金属そのもの、また塑性変形可能な樹脂からなる帯状物等であっても良い。更に保形部材全体が塑性変形可能である場合に限らず、例えば保形部材における長手方向中央部分が塑性変形可能で、上下端部分が硬く塑性変形しないものであっても良い。
【００６１】
また保形部材の形状としても実施形態１等の如く短い帯状のものに限らず、棒状等であっても良く、また実施形態２のＹ字状のもの様に異形のものであっても良い。
【００６２】
更に上記実施形態では保形部材をポケット外側シートに設ける構成のものを示したが、例えば図１５［本発明の他の実施形態に係るドレープ９０を示す縦断面図］に示す様に、保形部材１６をポケット身体側シート１５に設けても良く、この場合であっても保形部材１６を曲げることでポケット外側シート１５の開口縁１５ａ部分とポケット身体側シート１１ａを離間させることができ、この幅広く開いた開口から洗浄液等をポケット内に導くことができる。
【００６３】
また上記受液ポケットを構成するシート（ポケット外側シート１５，ポケット身体側シート１１ａ等）や本体シート１１，７１等の素材としては上記実施形態に限らず、各種の合成樹脂シートや不織布等の可撓性シートを用いることができ、このシートとしても単層に限らず、複数のシートを積層したものであっても良い。更に上記受液ポケットを構成するシートや本体シート等として、撥水機能を有するものや吸水機能を有するものを用いても良い。
【００６４】
加えて上記実施形態１等ではポケット外側シート１５の表側面（ポケット外側面）に保形部材１６を設ける構成を示したが、ポケット外側シート１５の裏側面（ポケット内側面）に設けても良く、表裏面いずれに設けても保形部材１６の機能としては変わりがない。また上記の如く受液ポケットを構成するシートとして複数のシートを積層したものを用いた場合には、これらのシートの間に挟む様にして保形部材を取り付けても良い。或いは保形部材の部分を含んでその周辺のみにシートを積層する構成とし、該積層するシートによって保形部材を固定する様にしても良い。
【００６５】
更に受液ポケットの形状としても実施形態の様な矩形に限るものではなく、例えば図１３に示す様な三角形等でも良く、各種の受液ポケットに本発明を適用できる。
【００６６】
また上記実施形態６〜１２において本体シート７１等に受液ポケット７４等を両面テープ７７，８７を用いて貼りつける様にしたが、これに限るものではなく、例えば接着剤を用いたり、或いは熱融着によって貼着する様にしても良い。
【図面の簡単な説明】
【００６７】
【図１】本発明の実施形態１に係るドレープを示す正面図である。
【図２】本発明の実施形態１に係るドレープの使用状態を表す正面からの図である。
【図３】図２に示すＡ−Ａ線断面図である。
【図４】図２に示すＡ−Ａ線断面図である。
【図５】本発明の実施形態２に係るドレープを示す図である。
【図６】本発明の実施形態３に係るドレープを示す図である。
【図７】本発明の実施形態４に係るドレープを示す図である。
【図８】本発明の実施形態５に係るドレープを示す図である。
【図９】本発明の実施形態６に係るドレープの使用状態を示す図である。
【図１０】本発明の実施形態６に係る受液ポケット及びドレープを示す正面図である。
【図１１】本発明の実施形態１２に係るドレープの使用状態を示す正面からの図である。
【図１２】従来の短い帯状部材を用いた受液ポケット付きドレープを表す斜視図である。
【図１３】三角形の受液ポケットを示す正面図である。
【図１４】保形部材の長手方向と受液ポケットの開口線とのなす角度を説明する為の図である。
【図１５】本発明の他の実施形態に係るドレープを示す縦断面図である。
【図１６】図１５に示すドレープの受液ポケット部分を斜めに位置させたときを説明する為の縦断面図である。
【図１７】本発明の実施形態１１に係るドレープの使用状態を示す正面からの図である。
【図１８】本発明の実施形態７に係る受液ポケットを示す正面図である。
【図１９】本発明の実施形態８に係る受液ポケットを示す正面図である。
【図２０】本発明の実施形態９に係る受液ポケットを示す正面図である。
【図２１】本発明の実施形態１０に係る受液ポケットを示す正面図である。
【符号の説明】
【００６８】
１０，２０，３０，４０，５０，６０，７０，８０，９０  ドレープ
１１，７１  本体シート１１
１１ａ  ポケット身体側シート
１４，７４，１２０，１３０，１４０，１５０  受液ポケット
１４ａ  開口線
１５  ポケット外側シート
１５ａ  開口縁
１６，２６，３６，３７，４６，４７，５６，５７  保形部材
１６ａ  上端
１６ｂ  曲がり部分
７７，８７  両面テープ
６２，８２  開孔
【図１】
2005060907.tif 000003
【図２】
2005060907.tif 000004
【図３】
2005060907.tif 000005
【図４】
2005060907.tif 000006
【図５】
2005060907.tif 000007
【図６】
2005060907.tif 000008
【図７】
2005060907.tif 000009
【図８】
2005060907.tif 000010
【図９】
2005060907.tif 000011
【図１０】
2005060907.tif 000012
【図１１】
2005060907.tif 000013
【図１２】
2005060907.tif 000014
【図１３】
2005060907.tif 000015
【図１４】
2005060907.tif 000016
【図１５】
2005060907.tif 000017
【図１６】
2005060907.tif 000018
【図１７】
2005060907.tif 000019
【図１８】
2005060907.tif 000020
【図１９】
2005060907.tif 000021
【図２０】
2005060907.tif 000022
【図２１】
2005060907.tif 000023